(57)【要約】メール・フォルダーでの新規の電子通信メッセージのドラフト管理を提供する。ユーザーが新規の電子メール・メッセージを生成することを選択すると、新規のメッセージのドラフトが１つ以上のユーザーのメールボックス・フォルダーのリスト・ビューに現れる。リスト・ビューは、マールボックス・フォルダーおよびドラフト・フォルダーの両方からの凝集したコンテンツを表示することができる。ドラフトはドラフト・メッセージとして識別することができ、その結果、ユーザーがドラフト・メッセージおよび他の電子メール・メッセージの間を区別するのを容易にする。ドラフトが削除されると、またはドラフトが送信されると、リスト・ビューから削除される。加えて、選択制御をユーザー・インターフェースに提供することができ、グルーピングにより電子メールのアイテムをソートすることができる。ドラフト選択制御の選択は、ユーザーの電子メール・アカウント内でドラフト／アイテムを表示させることができる。【選択図】図３
2015518985.tif 000002
【特許請求の範囲】
【請求項１】
ドラフト電子通信メッセージの管理を提供する方法であって、
電子メール・メッセージ（２１０）を生成するために、選択の指標を受け取るステップ（６１５）と、
前記電子メール・メッセージのドラフトを保存するステップ（６２０）と、       
前記ドラフト電子メール・メッセージのドラフト・アイテム（２１５）を、１つ以上のメールボックス・フォルダー（１１０，１４５，１５０，１５５，１６０，１７０）の電子メール・メッセージ・アイテムのリスト（１１５，１２０，１２５）に含めるステップ（６２０）と
を含む、方法。
【請求項２】
請求項１記載の方法であって、更に、
別のタスクを実行するために、選択の指標を受け取るステップ（６２５）と、
前記ドラフト電子メール・メッセージのドラフト・アイテムを、前記１つ以上のメールボックス・フォルダーの電子メール・メッセージ・アイテムの前記リストに含めるのを続けるステップ（６３０）と
を含む、方法。
【請求項３】
請求項２記載の方法であって、更に、
前記ドラフト電子メール・メッセージの選択の指標を受け取るステップ（６３５）と、
前記ドラフト電子メール・メッセージを保存し、
前記ドラフト電子メール・メッセージを送信し（６４０）、または、
前記ドラフト電子メール・メッセージを削除する（６４０）
ための指標を受け取るステップと、
前記ドラフト電子メール・メッセージを保存するための指標を受け取ると、前記ドラフト電子メール・メッセージを保存すると共に、前記１つ以上のメールボックス・フォルダーの電子メール・メッセージ・アイテムの前記リストにおいて前記ドラフト電子メール・メッセージのドラフト・アイテムを更新するステップ（６２０）と、
前記ドラフト電子メール・メッセージを送信するための指標を受け取ると、前記ドラフト電子メール・メッセージを送信すると共に、前記１つ以上のメールボックス・フォルダーの電子メール・メッセージ・アイテムの前記リストから、前記ドラフト電子メール・メッセージのドラフト・アイテムを除去するステップ（６４５）と、
前記ドラフト電子メール・メッセージを削除するための指標を受け取ると、前記ドラフト電子メール・メッセージを削除すると共に、前記１つ以上のメールボックス・フォルダーの電子メール・メッセージ・アイテムの前記リストから、前記ドラフト電子メール・メッセージのドラフト・アイテムを除去するステップ（６４５）と
を含む、方法。
【請求項４】
請求項１記載の方法であって、前記ドラフト電子メール・メッセージのドラフト・アイテムを１つ以上のメールボックス・フォルダーの電子メール・メッセージ・アイテムのリストに含める前記ステップが、前記ドラフト電子メール・メッセージを、ドラフトとして区別する識別子２２０を含めることを含む、方法。
【請求項５】
請求項１記載の方法であって、前記ドラフト電子メール・メッセージのドラフト・アイテムを、１つ以上のメールボックス・フォルダーの電子メール・メッセージ・アイテムのリストにる前記ステップが、１つ以上の選択制御（５０５）を設けて、ドラフト・アイテム・グルーピングを含む１つ以上のグルーピングによって電子メール・アイテムをソートすることを含む、方法。
【請求項６】
ドラフト電子通信メッセージの管理を提供するシステムであって、
メモリ・ストレージ（７０４，７０９，７１０）と、
該メモリ・ストレージに結合される処理ユニット（７０２）と
を備え、前記処理ユニットが、
電子メール・メッセージ（２１０）を生成するために選択の指標を受け取り、
前記電子メール・メッセージのドラフトを保存し、
前記ドラフト電子メール・メッセージのドラフト・アイテム（２１５）を、１つ以上のメールボックス・フォルダー（１１０，１４５，１５０，１５５，１６０，１７０）の電子メール・メッセージ・アイテムのリスト（１１５，１２０，１２５）に含める
ように動作可能である、システム。
【請求項７】
請求項６記載のシステムにおいて、前記処理ユニットが、更に、
前記ドラフト電子メール・メッセージの選択の指標を受け取り、
前記ドラフト電子メール・メッセージを保存し、
前記ドラフト電子メール・メッセージを送信し（６４０）、または、
前記ドラフト電子メール・メッセージを削除する（６４０）
ための指標を受け取り、
前記ドラフト電子メール・メッセージを保存するための指標を受け取る場合に、前記ドラフト電子メール・メッセージを保存すると共に、前記１つ以上のメールボックス・フォルダーの電子メール・メッセージ・アイテムの前記リストにおいて前記ドラフト電子メール・メッセージのドラフト・アイテムを更新し、
前記ドラフト電子メール・メッセージを送信するための指標を受け取る場合に、前記ドラフト電子メール・メッセージを送信すると共に、前記１つ以上のメールボックス・フォルダーの電子メール・メッセージ・アイテムの前記リストから、前記ドラフト電子メール・メッセージのドラフト・アイテムを除去し、
前記ドラフト電子メール・メッセージを削除するための指標を受け取る場合に、前記ドラフト電子メール・メッセージを削除すると共に、前記１つ以上のメールボックス・フォルダーの電子メール・メッセージ・アイテムの前記リストから、前記ドラフト電子メール・メッセージのドラフト・アイテムを除去する
ように動作可能である、システム。
【請求項８】
請求項７記載のシステムにおいて、前記処理ユニットが、更に、
前記電子メール・メッセージのドラフトを、
ドラフト・フォルダー（１４５）、
インボックス・フォルダー（１１０）、
メールボックス・フォルダー（１５５，１６０）、
ドラフト・フォルダーおよびインボックス・フォルダーのコンテンツを含む凝集したフォルダー、または
ドラフト・フォルダーおよびメールボックス・フォルダーのコンテンツを含む凝集したフォルダー
の内１つ以上に保存し、
前記電子メール・メッセージのドラフトを、
電子メール・メッセージを生成する選択、
前記電子メール・メッセージを保存する選択、
前記電子メール・メッセージをクローズする選択、
別のタスクを実行する選択、
電子メール・メッセージを生成する選択の指標を受け取った後、所定の時間量の経過
の内の１つの指標を受け取ったら保存する
ように動作可能である、システム。
【請求項９】
ドラフト電子通信メッセージの管理を提供するためのコンピューター実行可能命令を有するコンピューター可読媒体であって、
電子メール・メッセージを生成するために、選択の指標を受け取り（６１５）、
前記電子メール・メッセージのドラフトを、
ドラフト・フォルダー（１４５）、
インボックス・フォルダー（１１０）、
メールボックス・フォルダー（１５５，１６０）、
ドラフト・フォルダーおよびインボックス・フォルダーのコンテンツを含む凝集したフォルダー、または
ドラフト・フォルダーおよびメールボックス・フォルダーのコンテンツを含む凝集したフォルダー
の内１つ以上に保存し（６２０）、
前記ドラフト電子メール・メッセージのドラフト・アイテムを、１つ以上のメールボックス・フォルダーの電子メール・メッセージ・アイテムのリストに含め（６２０）、
別のタスクを実行するために、選択の指標を受け取り（６２５）、
前記ドラフト電子メール・メッセージのドラフト・アイテムを、前記１つ以上のメールボックス・フォルダーの電子メール・メッセージ・アイテムの前記リストに含めることを続け（６３０）、
前記ドラフト電子メール・メッセージの選択の指標を受け取り（６３５）、
前記ドラフト電子メール・メッセージを保存し、
前記ドラフト電子メール・メッセージを送信し（６４０）、または、
前記ドラフト電子メール・メッセージを削除する（６４０）
ための指標を受け取り、
前記ドラフト電子メール・メッセージを保存するための指標を受け取る場合に、前記ドラフト電子メール・メッセージを保存すると共に、前記１つ以上のメールボックス・フォルダーの電子メール・メッセージ・アイテムの前記リストにおいて前記ドラフト電子メール・メッセージのドラフト・アイテムを更新し（６２０）、
前記ドラフト電子メール・メッセージを送信するための指標を受け取る場合に、前記ドラフト電子メール・メッセージを送信すると共に、前記１つ以上のメールボックス・フォルダーの電子メール・メッセージ・アイテムの前記リストから、前記ドラフト電子メール・メッセージのドラフト・アイテムを除去し（６４５）、
前記ドラフト電子メール・メッセージを削除するための指標を受け取る場合に、前記ドラフト電子メール・メッセージを削除すると共に、前記１つ以上のメールボックス・フォルダーの電子メール・メッセージ・アイテムの前記リストから、前記ドラフト電子メール・メッセージのドラフト・アイテムを除去する
ことを含む、コンピューター可読媒体。
【請求項１０】
請求項１９記載のコンピューター可読媒体であって、前記ドラフト電子メール・メッセージのドラフト・アイテムを、電子メール・メッセージ・アイテムのリストに含めることが、
１つ以上の選択制御（５０５）を設けて、ドラフト・アイテム・グルーピングを含む１つ以上のグルーピングによって電子メール・アイテムをソートし、
前記ドラフト・アイテム・グルーピングの選択の指標を受け取り、
ドラフト電子メール・メッセージ・アイテムの表示を提供する
ことを含む、コンピューター可読媒体。
【発明の詳細な説明】
【背景技術】
【０００１】
電子メール・クライアント・アプリケーションを使用するときに、ユーザーが電子メールを作成し、後に電子メールへの作業を継続できるように、それをドラフトとして保存することがしばしばある。当該ドラフトは次いで、彼のメール・ボックス内のドラフト・フォルダーに保存される。
【発明の概要】
【発明が解決しようとする課題】
【０００２】
ドラフトへの作業を継続するために、ユーザーは、ドラフト・フォルダーを選択し、所望のドラフトを見つけ出して、それをオープンしなければならない場合がある。他のフォルダーに切り替える、または他のフォルダーをオープンしなければならず、それ故、ドラフトへの作業を継続できるために、ユーザーが作業していることのコンテキストを損失しなければならない。このことは、非効率なものと認められ、生産性を妨害することになる。
【０００３】
幾らかの電子メール・クライアント・アプリケーションは、会話ツリーおよび会話ビュー手段によって会話への返信についてドラフトの管理を考慮している。ここでは、ユーザーのメール・ボックス内の全フォルダーにわたる会話ストリングの全メッセージが、リスト・ビューおよび／または読み出し枠(reading pane)内に現れる。
【０００４】
これらおよび他の考慮点に関して、本発明がなされている。
【課題を解決するための手段】
【０００５】
本発明の実施形態は、メールボックス・フォルダー内の新規の電子通信メッセージに対するドラフト管理を提供することで、上記および他の課題を解決する。実施形態によれば、ユーザーが新規の電子メール・メッセージを生成するのを選択するときに、当該新規のメッセージのドラフトをユーザーのドラフト・フォルダーに格納することができ、そして、ユーザーのインボックスまたは他のメールボックス・フォルダーのリスト・ビューに現すことができる。ドラフトが削除されるとき、または、ドラフトが送信されるときに、インボックスまたは他のメールボックス・フォルダーのリスト・ビューからドラフトを除外することができる。リスト・ビューは、選択したメールボックス・フォルダーおよびドラフト・フォルダーの両方から凝集した内容を表示できる。
【０００６】
１つ以上の実施形態の詳細は、添付の図面および以下の説明に記載する。他の特徴および効果は、以下の詳細な説明の読み込みおよび関連する図面の検討を通じて明らかなものになる。以下の詳細な説明は例示に過ぎず、特許請求される本発明について限定的なものではない。
【０００７】
本摘要は、以下の発明の詳細な説明において更に説明する単純化した形態で、概念の選択を導入するために設けている。本概要は特許請求する主題の鍵となる特徴点または必須の特徴点を特定することを意図せず、また、特許請求する主題の範囲を決定する際の補助を意図するものではない。
【０００８】
添付の図面は、本開示に組み込んでその一部を構成し、本発明の各種実施形態について例示するものである。
【図面の簡単な説明】
【０００９】
【図１】図１は、タブレット型のコンピューティング・デバイスに表示される電子メール・クライアント・アプリケーション・ユーザー・インターフェースを示す例示のスクリーンショットの具体例である。
【図２】図２は、新規の電子メール・メッセージのドラフトを示す例示のスクリーンショットの具体例である。
【図３】図３は、電子メール・クライアント・アプリケーション・ユーザー・インターフェースの読み出し枠に表示される、インラインの作成形態(compose form)を示す例示のスクリーンショットの具体例である。
【図４】図４は、ユーザーのインボックスに現れ、受信した電子メール・メッセージの下に配置されるドラフト・リストを示す例示のスクリーンショットの具体例である。
【図５】図５は、電子メール・クライアント・アプリケーションのインボックス・フォルダー内の新規な電子通信メッセージのためにドラフト管理を提供する方法についてのフロー・チャートである。
【図６】図６は、ドラフト電子メール・メッセージによってソートされたユーザー・インボックスのアイテムを示す例示のスクリーンショットの具体例である。
【図７】図７は、本発明の実施形態を実施できるコンピューティング・デバイスの例示の物理コンポーネントを例示するブロック図である。
【図８Ａ】図８Ａは、本発明の実施形態を実施することができるモバイル・コンピューティング・デバイスの簡略化したブロック図である。
【図８Ｂ】図８Ｂは、本発明の実施形態を実施することができるモバイル・コンピューティング・デバイスの簡略化したブロック図である。
【図９】図９は、本発明の実施形態を実施することができる分散コンピューティング・システムの簡略化したブロック図である。
【発明を実施するための形態】
【００１０】
先に簡単に説明したように、本発明の実施形態は、電子メール・クライアント・アプリケーションのメールボックス・フォルダー内の新規の電子通信メッセージのためにドラフト管理を提供することに向けられる。
【００１１】
現行のシステムでは、ユーザーが電子メールを生成するときに、本システムは、所定の時間量の後に電子メールのドラフトを自動的に保存することができるか、または、ユーザーがその電子メールをドラフトとして手動で保存することができる。電子メールがドラフトとして保存される場合は、電子メールはドラフト・フォルダーに保存できる。ユーザーが電子メールをクローズして、後にそれを再度オープンしたい場合は、彼はドラフト・フォルダーへ行き、当該電子メールを見つけて、次いで、それを再度オープンする必要がある。このことは非効率的となり得ることは明らかであろう。また、電子メール・クライアント・アプリケーションを使用するときに、ユーザーはそれらの時間の大部分をインボックスまたは他のメールボックス・フォルダーに費やすることもしばしばある。つまり、ドラフトの電子メールがドラフト・フォルダーに保存されると、ユーザーが当該ドラフトについて忘れ、完成および送信を忘れることが容易にある。
【００１２】
本発明の実施形態は、ユーザーが新規の電子メール・メッセージを生成するのを選択するときに、新規のメッセージのドラフトがユーザーのインボックスまたは他のメールボックス・フォルダーのリスト・ビューに現れ得るような電子メール・ドラフトの管理を提供する。リスト・ビューは、選択されたメールボックス・フォルダーおよびドラフト・フォルダーの両方から凝集されるコンテンツを表示できる。ドラフトはドラフト・メッセージとして明確に特定することができ、ドラフト・メッセージと他の電子メール・メッセージをユーザーが区別するのを容易にできる。ドラフトが削除されるとき、または、ドラフトが送信されるときに、当該ドラフトはメールボックス・フォルダーのリスト・ビューから除外できる。
【００１３】
以下の詳細な説明では、添付の図面を参照する。可能な場合には、同一または類似の要素を参照するのに、同一の符号が図面および以下の説明において用いられる。本発明の実施形態について説明する一方で、変更態様、改作および他の実装が可能である。例えば、置換、追加または修正を、図面に示す要素に対して行うことができる。また、本明細書に説明する方法について、開示する方法に対し段階の置換、再順序付け、または追加によって修正することができる。したがって、以下の詳細な説明は、本発明を制限するものではなく、その替わりとして、本発明の適切な範囲は、添付の特許請求の範囲に規定される。
【００１４】
これより図面を参照する。同様の符号は同様の要素を表して、各種実施形態について説明する。図１は、電子メール・クライアント・アプリケーション・ユーザー・インターフェース１０５を示す例示のスクリーンショット１００について説明する。例示の目的で、スクリーンショット１００は、タブレット型のコンピューティング・デバイス９１８Ｂのディスプレイ面を示す。タブレット型のコンピューティング・デバイス９１８Ｂは、本明細書に説明する、スクリーンショット１００を表示するために用いることができる数多くのコンピューティング・デバイスのわずか１つに過ぎないことが認められて然るべきである。図示のように、ユーザーのインボックス１１０のコンテンツは、ユーザー・インターフェース１０５でのリスト・ビュー内に表示される。ユーザーのインボックス１１０は、アイテムのリスト（例えば、電子メール１１５，１２０，１２５）をユーザーの電子メール・アカウントのインボックス・フォルダー１１０に含めることができる。一実施形態によれば、また、より詳細に以下に説明するように、インボックス・フォルダー１１０は、他の電子メール・フォルダーに移動されていない受信済みの電子メール・アイテムおよび送信されていないドラフト電子メール・メッセージを含む、凝集されたフォルダーとすることができる。ユーザー・インターフェース１０５は、１つ以上のメールボックス・フォルダー１１０，１４５，１５０，１５５，１６０，１７０のリストをユーザーの電子メール・アカウントに含めることができるナビゲーション枠(navigation pane)１３５を含むことができる。図１〜図５に示すメールボックス・フォルダー１１０，１４５，１５０，１５５，１６０，１７０は例示目的であり、電子メール・アカウントに含まれる数多くの各種メールボックス・フォルダーのわずか幾らかに過ぎないことが認められて然るべきである。電子メール・アカウントは、だいたいメールボックス・フォルダー１１０，１４５，１５０，１５５，１６０，１７０を含むことができ、図示したものと異なるフォルダ・タイプとしてもよい。実施形態によれば、電子メール・アカウントの１つ以上のメールボックス・フォルダー１１０，１４５，１５０，１５５，１６０，１７０の各々は、フォルダーに保存された電子メール・アイテム、および送信されていないドラフト電子メール・メッセージを含めることができる。ユーザー・インターフェース１０５はまた、ユーザーのインボックス１１０または他のメールボックス・フォルダーにおいて、選択されたアイテムをオープンする必要なく当該アイテムを表示するのに利用できる読み出し枠１３０を含むこともできる。例えば、図１に示すように、ユーザーのインボックス１１０において選択された電子メール１２０は、読み出し枠１３０に表示されている。
【００１５】
これより図２を参照して、新規の電子メール・メッセージのドラフトを示す例示のスクリーンショット２００について説明する。図２に示すように、新規の電子メールを生成する機能の選択（例えば、新規の電子メール機能コントロール１７５の選択）の指標を受け取ると、ユーザーは、新規の電子メール・メッセージを作成できるユーザー・インターフェース・エレメント２０５と共に提示される。実施形態によれば、新規の電子メール・メッセージ２１０が生成されているときには、新規なメッセージ２１０のドラフトは、ユーザーのインボックス１１０に、またはユーザーの電子メール・アカウントの他のメールボックス・フォルダー１４５，１５０，１５５，１６０，１７０にアイテムとしてリストすることができる。新規のメッセージ２１０のドラフトを表すドラフト・アイテム２１５は、ユーザーのインボックス１１０および他のメールボックス・フォルダー１４５，１５０，１５５，１６０，１７０に提示することができる。そして、ユーザーのメールボックス・フォルダーの他のアイテム（電子メール１１５，１２０，１２５）中にリストすることができる。一実施形態によれば、新規のメッセージ２１０のドラフトを表すドラフト・アイテム２１５は、新規の電子メール・メッセージを生成する選択の指標を受け取ると直ちに提示することができる。他の実施形態によれば、新規のメッセージ２１０のドラフトを表すドラフト・アイテム２１５は、新規の電子メール・メッセージ２１０の作成をユーザーが開始した後の所定の時間に提示することができる。他の実施形態によれば、新規のメッセージ２１０のドラフトを表すドラフト・アイテム２１５は、新規の電子メール・メッセージ２１０のドラフトを保存するユーザー選択の後に提示することができる。新規のメッセージ２１０のドラフトを表すドラフト・アイテム２１５は、電子メール・メッセージをドラフト電子メール・メッセージとして区別する識別子２２０を含むことができる。例えば、図２に示すように、識別子２２０は、ブラケット内に「ドラフト」というワードとすることができる。ユーザーは、それを送ることのない、新規の電子メール・メッセージ２１０をクローズすることを選択できる。電子メール・メッセージ２１０が削除または送信されるまで、新規のメッセージのドラフト２１０および識別子２２０を表すドラフト・アイテム２１５は、ユーザーのメールボックス・フォルダー１１０，１４５，１５０，１５５，１６０，１７０に表示されたままとしてもよい。
【００１６】
一実施形態によれば、新規のメッセージ２１０のドラフトを表すドラフト・アイテム２１５は、生成された順に、また新規のメッセージが受信された順に現れることができる。例えば、ユーザーがドラフト電子メール・メッセージ２１０を保存するときに、ドラフト・アイテム２１５がユーザーのメールボックス・フォルダー１１０，１４５，１５０，１５５，１６０，１７０のトップに現れることができる。図２に示すように、ドラフト・アイテム２１５は、ユーザーのインボックス・フォルダー１１０のトップに現れる。ユーザーがドラフト２１０を保存した後に彼が新規の電子メール・メッセージを受信する場合、新規の電子メール・アイテムはドラフト・アイテム２１５の上に現れることができる。他の実施形態によれば、ドラフト・アイテム２１５は、ドラフト２１０が保存された後に新規のメッセージが受信されまたはフォルダーに保存される場合でも、ユーザーのメールボックス・フォルダー１１０，１４５，１５０，１５５，１６０，１７０の頂部にリストされるままとすることができる。ユーザーが所望するとおりに、彼のメールボックス・フォルダー１１０，１４５，１５０，１５５，１６０，１７０のドラフト・アイテム２１５の表示をユーザーがカスタマイズできるよう設定を提供できるのは明らかである。
【００１７】
これより図３を参照する。電子メール・クライアント・アプリケーションのユーザー・インターフェース１０５の読み出し枠１３０に表示されるインラインの作成形態３０５についての例示のスクリーンショット３００を説明する。実施形態によれば、ユーザーが、メールボックス・フォルダー１１０，１５０，１５５，１６０，１７０にリストされるドラフト・アイテム２１５を選択するときに、ドラフト電子メール・メッセージ２１０は、ユーザーがドラフト・フォルダー１４５へ行く必要なしに、ユーザーに対し再オープンすることができる。一実施形態によれば、ドラフト電子メール・メッセージ２１０は、新規のウインドウで再オープンすることができる。他の実施形態によれば、図３に示すように、ドラフト電子メール・メッセージ２１０は、電子メール・クライアント・アプリケーションのユーザー・インターフェース１０５の読み出し枠１３０に表示されるインラインの作成形態３０５で再オープンおよび表示することができる。ユーザーは、電子メール・メッセージ２１０のドラフトを継続することができ、次いで、メッセージの削除、メッセージの送信、または再度のドラフトの保存のいずれかを行うことができる。ユーザーがドラフト電子メール・メッセージ２１０の保存を選択する場合は、ドラフト・アイテム２１５は、ユーザーのメールボックス・フォルダー１１０，１４５，１５０，１５５，１６０，１７０の頂部に現れることができ、保存動作の時間３１５、電子メール２１０の表題、および電子メールのコンテンツといった如何なる修正態様をも含めることができる。例えば、図示するように、コンテンツをドラフト電子メール・メッセージ２１０に追加してドラフトを再保存すると、ドラフト・アイテム２１５は、ユーザーのインボックス１１０の頂部に現れ、そして、ドラフト電子メール・メッセージ２１０のコンテンツの開始部を示すプレビュー線３１０を含める。
【００１８】
これより図４を参照する。ユーザーのインボックス１１０に現れ、受信した電子メール・メッセージ４０５の下に配置されるドラフト・リストについての例示のスクリーンショット４００を説明する。一実施形態の例により、図４に示すように、電子メール・メッセージ４０５は、午後１２時１８分４１５にユーザーの電子メール・アカウントによって受信する。電子メール４０５は、ユーザーのインボックス１１０にリストされる。また、ドラフト電子メール・メッセージ３１０が保存された（午後１２時１５分３１５）後に当該電子メール４０５が受信されるために、受信した電子メール４０５は、インボックス１１０において、ドラフト電子メール・メッセージ３１０を表すドラフト・リスト２１５の上にリストされる。同様に、ドラフト電子メール・メッセージ２１０が保存された後、電子メール・メッセージ４０５が受信され、メールボックス・フォルダー１５５，１６０に保存される場合に、受信し保存した電子メール４０５は、メールボックス・フォルダー１５５，１６０において、ドラフト電子メール・メッセージ２１０を表すドラフト・リスト２１５の上にリストできる。
【００１９】
実施形態によれば、図５に関連して、選択制御をユーザー・インターフェース１０５に設けることができ、各種分類またはグルーピングによって電子メール・アイテムをソートすることができる。例えば、ドラフトの選択制御５０５を設けることができる。ドラフトの選択制御５０５の選択によって、現在選択されているメールボックス・フォルダー１１０，１４５，１５０，１５５，１６０，１７０のアイテムにおいてドラフト・アイテム２１５のみを表示させることができる。ドラフト・アイテム２１５を表示させるために、他の機能制御を設けることができるのが明らかである。他の実施形態によれば、選択制御にわたるカーソルの選択、またはフォーカスは、ドロップ・ダウンを提供することができ、選択制御のグループ化で分類されるアイテムをリストする。例えば、ドラフト選択制御５０５の選択に応じて、ドロップ・ダウン・メニューを、ユーザーの電子メール・アカウントのドラフトのリストを含んで表示することができる。
【００２０】
これより図６を参照する。メールボックス・フォルダー１１０，１４５，１５０，１５５，１６０，１７０での新規の電子通信メッセージのドラフト管理を提供する方法６００について説明する。方法６００は、動作６０５で開始し、動作６１０に進む。選択がユーザーによって行われ、新規の電子メール・メッセージ２１０が作成できる。各種方法を用いることができ、例えば、新規の電子メール機能制御１７５、キーボード・ショートカット・キー等の選択のように、新規の電子メール・メッセージ２１０の作成の選択を行うことができる。
【００２１】
方法６００は動作６１５に進み、ユーザーは新規の電子メール・メッセージ２１０を作成する。新規の電子メール・メッセージの作成は、電子メール・メッセージ２１０の１人以上の受信者の追加、メッセージへの表題の追加、電子メール・メッセージの本文の作成のようなメッセージへのコンテンツの追加を含むことができ、または、実施形態によれば、新規の電子メール・メッセージを単にオープンするのを含むことができる。
【００２２】
動作６２０では、電子メール・メッセージ２１０のドラフトが保存される。実施形態によれば、保存動作は、保存コマンドの選択の結果としてもよく、新規の電子メール・メッセージ２１０を生成するためにユーザーによって選択が行われた（６１０）後に生じてもよく、新規の電子メール・メッセージ２１０の生成（６１５）の間で所定の時間量が経過した後に生じてもよく、またはユーザーが新規の電子メール・メッセージをクローズしおよび／若しくは他のタスクにスイッチしたときに生じてもよい。一実施形態によれば、ドラフト電子メール・メッセージ２１０は、ドラフト・フォルダー１４５に保存される。他の実施形態によれば、ドラフト電子メール・メッセージ２１０は、メールボックス・フォルダー１１０，１５０，１５５，１６０，１７０に保存される。他の実施形態によれば、ドラフト電子メール・メッセージ２１０は、ドラフト・フォルダー１４５およびインボックス・フォルダー１１０のコンテンツを含んだ凝集したフォルダーに保存される。他の実施形態によれば、ドラフト電子メール・メッセージ２１０は、各種凝集したフォルダーの内の１つに保存され、凝集したフォルダーが、ドラフト・フォルダー１４５および１つ以上のメールボックス・フォルダー１５０，１５５，１６０，１７０のコンテンツを含む凝集したフォルダーを含む。
【００２３】
実施形態によれば、ドラフト電子メール・メッセージ２１０は、電子メール・アイテム１１５，１２０，１２５のリストに含めることができる。すなわち、ドラフト電子メール・メッセージ２１０を表すドラフト・アイテム２１５は、ユーザーのインボックス１１０のリスト・ビューまたは現在選択されているメールボックス・フォルダー１５０，１５５，１６０，１７０のリスト・ビューに表示することができ、また、表示された電子メール・メッセージがドラフト電子メール・メッセージであることを示す識別子２２０を含むことができる。
【００２４】
実施形態によれば、ドラフト・アイテム２１５は、それが生成された順に、また新規のメッセージを受信またはメールボックス・フォルダーに保存された順に現れることができる。例えば、ユーザーがドラフト電子メール・メッセージ２１０を保存するときに、ドラフト・アイテムは、ユーザーのインボックス１１０のトップに現れることができる。ユーザーがドラフト電子メール・メッセージ２１０を保存した後に、彼が新規の電子メール・メッセージを受信する場合は、インボックスのアイテムのリストにおいて新規の電子メールの指標をドラフト・アイテム２１５の上に表示することができる。他の実施形態によれば、ドラフト・アイテム２１５は、ドラフト電子メール・メッセージ２１０が保存された後に新規のメッセージが受信されまたはフォルダーに保存される場合でも、ドラフト・アイテム２１５は、ユーザーのメールボックス・フォルダー１１０，１５０，１５５，１６０，１７０の頂部にリストすることができる。設定を設けることができ、ユーザーによって、彼のインボックス１１０またはユーザーの所望の他のメールボックス・フォルダー１４５，１５０，１５５，１６０，１７０内のドラフト・アイテム２１５の表示をカスタマイズできることが明らかである。
【００２５】
動作６２５では、ユーザーはドラフト電子メール・メッセージ２１０をクローズし、別のタスクへと切り替えることができる。動作６３０では、電子メール・クライアント・アプリケーションは、新規のメッセージ２１０のドラフトを、ユーザーのメールボックス・フォルダー１１０，１４５，１５０，１５５，１６０，１７０のアイテムとしてリストし続ける。方法６００は、動作６３５へと進み、ユーザーはドラフト電子メール・メッセージ２１０を選択および再オープンする。ユーザーは、メッセージの作成（６１５）を続けてもよく、または、本方法は動作６４０へと進み、ユーザーはドラフト電子メール・メッセージ２１０を送信若しくは削除することができる。ユーザーがドラフト電子メール・メッセージ２１０の作成を続ける場合に、ドラフトを再保存することができ（６２０）、また、実施形態によれば、ドラフト・アイテム２１５は、アイテムのリスト（電子メール１１５，１２０，１２５）の頂部に移動させることができる。
【００２６】
ドラフト電子メール・メッセージ２１０を送信または削除した（６４０）後に、動作６４５では、ドラフト電子メール・メッセージを表すドラフト・アイテム２１５は、ユーザーのメールボックス・フォルダー１１０，１４５，１５０，１５５，１６０，１７０のアイテムのリスト（電子メール１１５，１２０，１２５）から除去することができる。本方法は、動作６９５で終了する。
【００２７】
他の実施形態によれば、ユーザーのアウトボックスのアイテムが、ユーザーのインボックスに供給され、そして未送信のアイテムとして特定することができる。例えば、ユーザーは、オフラインの環境で操作していてもよく、１または複数の電子メールをドラフトしてもよい。ユーザーは送信コマンドを選択することができる。ドラフトは保存され、ユーザーのメールボックス・フォルダーの未送信のアイテムとしてリストすることができる。例えば、「未送信」というワードを、未送信のドラフト・アイテムの次に表示することができる。オンラインに戻ると、未送信のドラフトを送信することができ、アイテムのリスト（電子メール１１５，１２０，１２５）から除去することができる。
【００２８】
本明細書に説明する実施形態および機能は、これに限定されないが、デスクトップ・コンピューティング・システム、有線および無線のコンピューティング・システム、モバイル・コンピューティング・システム（例えば、携帯電話、ネットブック、タブレットまたはスレート型のコンピューター、ノートブック・コンピューター、およびラップトップ・コンピューター）、ハンド・ヘルド・デバイス、マルチプロセッサー・システム、マイクロプロセッサー・ベースまたはプログラム可能なコンシューマ電子機器、ミニコンピューター、およびメインフレーム・コンピューターを含む、多数のコンピューティング・システムを介して動作させることができる。加えて、本明細書に説明する実施形態および機能性は、分散システム（例えば、クラウド・ベースのコンピューティング・システム）を通じて動作させることができ、インターネットまたはイントラネットのような分散コンピューティング・ネットワークを通じて、アプリケーション機能、メモリ、データ・ストレージおよび抽出、並びに各種処理機能を相互に遠隔に操作することができる。各種の種別のユーザー・インターフェースおよび情報は、オンボードのコンピューティング・ディスプレイを介して、または、１つ以上のコンピューティング・デバイスに関連付けられたリモート・ディスプレイ・ユニットを介して表示することができる。例えば、各種の種別のユーザー・インターフェースおよび情報は、当該各種の種別のユーザー・インターフェースおよび情報が投影される壁面に表示し相互作用することができる。本発明の実施形態を実施できる多数のコンピューティング・システムとの相互作用は、キーストローク入力、タッチ・スクリーン入力、音声または他のオーディオ入力、ジェスチャー入力を含む。当該ジェスチャー入力では、コンピューティング・デバイス等の機能性を制御するためにユーザー・ジェスチャーをキャプチャーおよび解釈する検出機能（例えばカメラ）と共に、コンピューティング・デバイスに付随して装備される。図７から図９、および関連する説明により、本発明の実施形態を実施できる各種動作環境について検討を行う。しかしながら、図７から図９に関し説明および検討するデバイスおよびシステムは、具体例の説明の目的に過ぎず、本明細書に記載する本発明の実施形態を実施するのに利用することができる、非常に数多くのコンピューティング・デバイスの構成を限定するものではない。
【００２９】
図７は、本発明の実施形態を実施できるコンピューティング・デバイス７００について例示の物理コンポーネント（すなわち、ハードウェア）を説明するブロック図である。後述するコンピューティング・コンポーネントは、先に説明したコンピューティング・デバイスに適したものとすることができる。コンピューティング・デバイス７００は、基本構成では、少なくとも１つの処理ユニット７０２およびシステム・メモリ７０４を含む。コンピューティング・デバイスの構成および種別に従って、システム・メモリ７０４は、揮発性ストレージ（例えば、ランダム・アクセス・メモリ）、不揮発性ストレージ（例えば、リード・オンリ・メモリ）、フラッシュ・メモリ、またはこのようなメモリの如何なる組み合わせをも含むことができるが、これに限定されない。システム・メモリ７０４は、オペレーティング・システム７０５および１つ以上のプログラム・モジュール７０６を含むことができ、プログラム・モジュール７０６は、電子メール・クライアント・アプリケーション７２２のようなソフトウェア・アプリケーション７２０を起動するのに適したものである。オペレーティング・システム７０５は、例えば、コンピューティング・デバイス７００の動作を制御するのに適したものとすることができる。更にまた、本発明の実施形態は、グラフィックス・ライブラリ、他のオペレーティング・システム、または如何なる他のアプリケーション・プログラムと連携して実施することができ、如何なる特定のアプリケーションまたはシステムには限定されない。この基本構成は、図７において、点線７０８内の複数のコンポーネントによって示される。コンピューティング・デバイス７００は、付加的な特徴または機能を有することができる。例えば、コンピューティング・デバイス７００はまた、例えば、磁気ディスク、光ディスクまたはテープのような追加の（取り外し可能および／または取り外し不能）なデータ・ストレージ・デバイスも含むことができる。このような追加のストレージは、取り外し可能ストレージ７０９および取り外し不能ストレージ７１０として図７に示される。
【００３０】
先に説明したように、数多くのプログラム・モジュールおよびデータ・ファイルをシステム・メモリ７０４に格納することができる。処理ユニット７０２上で実行する間、例えば電子メール・クライアント・アプリケーション７２２のようなプログラム・モジュール７０６は、例えば、方法５００の１つ以上の段階を含むプロセスを実行することができる。先に説明したプロセスは例示であり、処理ユニット７０２は他のプロセスを実行することができる。本発明の実施形態により用いることができる他のプログラム・モジュールは、電子メールおよびコンタクト・アプリケーション、文書処理アプリケーション、スプレッドシート・アプリケーション、データベース・アプリケーション、スライド・プレゼンテーション・アプリケーション、描画またはコンピューター支援アプリケーション・プログラム等を含むことができる。
【００３１】
更にまた、本発明の実施形態は、別個の電子エレメント、論理ゲートを収容するパッケージ若しくは集積化された電子チップ、マイクロプロセッサーを利用する回路、または単一チップ上に収容する電子エレメント若しくはマイクロプロセッサーを備える電気回路で実施することができる。例えば、本発明の実施形態は、システム・オン・チップ（ＳＯＣ）を通じて実施することができ、図７に示したコンポオーネントの各々または全てを単一の集積回路上に集積化することができる。このようなＳＯＣデバイスは、１つ以上の処理ユニット、グラフィックス・ユニット、通信ユニット、システム仮想化ユニット、および全てが単一の集積回路としてチップ基板上へ集積化される（即ち、「バーンした(burned)」）各種アプリケーション機能を含むことができる。ＳＯＣを通じて動作するときは、本明細書に説明する、電子メール・クライアント・アプリケーション７２２に関する機能は、単一の集積回路（チップ）上のコンピューティング・デバイス７００の他のコンポーネントと集積化される用途限定ロジックを通じて動作させることができる。本発明の実施形態はまた、機械的、光学的、流体工学の、そして量子技術を含むがこれに限定されない例えばＡＮＤ，ＯＲ，ＮＯＴのような論理動作を実行することができる他の技術を用いて実施することもできる。加えて、本発明の実施形態は、汎用目的コンピューターで、または他の如何なる回路若しくはシステムでも実施することができる。
【００３２】
コンピューティング・デバイス７００はまた、キーボード、マウス、ペン、音声入力デバイス、タッチ入力デバイス等のような１つ以上の入力デバイス７１２も備えることができる。ディスプレイ、スピーカー、プリンター等のような出力装置７１４も含んでもよい。上述したデバイスは例示であり、他のものを用いてもよい。コンピューティング・デバイウ７００は、他のコンピューティング・デバイス７１８と通信を可能にする１つ以上の通信接続７１６を含んでもよい。適切な通信接続７１６の例には、ＲＦトランスミッター、レシーバーおよび／または送受信回路、ユニバーサル・シリアル・バス（ＵＳＢ）、パラレルもしくはシリアル・ポート、および、適用可能なコンピューター読み取り可能媒体で用いるのに適した他の接続が含まれが、これに限定されない。
【００３３】
本発明の実施形態は、例えば、コンピューター・プロセス（方法）として、コンピューティング・システムとして、または、コンピューター・プログラム製品もしくはコンピューター可読媒体のような製造物品として実装することができる。コンピューター・プログラム製品は、コンピューター・システムによって読み込み可能、且つコンピューター・プロセスを実行するための指示についてのコンピューター・プログラムをコード化するコンピューター・ストレージ媒体とすることができる。
【００３４】
本明細書で用いられるコンピューター可読媒体なる用語は、コンピューター・ストレージ媒体および通信媒体を含むことができる。コンピューター・ストレージ媒体は、揮発性および不揮発性、取り外し可能および取り外し不能な媒体を含み、コンピューター可読命令、データ構造、プログラム・モジュールまたは他のデータのような情報のストレージについての如何なる方法または技術でも実装される。システム・メモリ７０４、取り外し可能ストレージ・デバイス７０９、および取り外し不能ストレージ・デバイス７１０は、すべてのコンピューター・ストレージ媒体の例（すなわち、メモリ・ストレージ）である。コンピューター・ストレージ媒体は、ＲＡＭ、ＲＯＭ、電気的消去可能リード・オンリ・メモリ、フラッシュ・メモリ、若しくは他のメモリ技術、ＣＤ―ＲＯＭ、デジタル多用途ディスク（ＤＶＤ）、若しくは他の光ストレージ、磁気カセット、磁気テープ、磁気ディスク・ストレージ、若しくは他の磁気ストレージ・デバイス、または、情報を格納するのに用いることができ、且つコンピューティング・デバイス７００によってアクセスできる如何なる他の媒体をも含むことができるが、これに限定されない。このような如何なるコンピューター・ストレージ媒体もが、コンピューター７００の一部とすることができる。
【００３５】
通信媒体は、コンピューター可読命令、データ構造、プログラム・モジュール、または搬送波若しくは他の移送機構のような変調データ信号の他のデータによって実現することができ、如何なる情報配信媒体をも含み、また、如何なる情報配信媒体をも含むことができる。「変調データ信号」という用語は、１つ以上の特性のセットを有し、信号内の情報をコード化する手法で変更された信号のことを説明する。例えば、これに限定されないが、通信媒体は、有線ネットワークまたは直接有線接続のような有線媒体、および、音響、無線周波数（ＲＦ）、赤外線および他の無線媒体のような無線媒体を含むことができる。
【００３６】
図８Ａおよび図８Ｂは、モバイル・コンピューティング・デバイス８００、例えば、携帯電話、スマートフォン、タブレット・パーソナル・コンピューター、ラップトップ・コンピューター等について例示する。本発明の実施形態はこれを用いて実施することができる。図８Ａに関し、実施形態を実装する例示のモバイル・コンピューティング・デバイス８００について説明する。基本構成では、モバイル・コンピューティング・デバイス８００は、入力エレメントおよび出力エレメントの両方を有するハンドヘルド・コンピューターである。モバイル・コンピューティング・デバイス８００は通例、ディスプレイ８０５および１つ以上の入力ボタン８１０を含む。入力ボタン８１０は、ユーザーによって、情報をモバイル・コンピューティング・デバイス８００に入力するのを可能にする。モバイル・コンピューティング・デバイス８００のディスプレイ８０５はまた、入力デバイス（例えば、タッチ・スクリーン・ディスプレイ）として機能することもできる。任意の側面の入力エレメント８１５が含まれると、更なるユーザー入力を可能にする。側面の入力エレメント８１５は、回転スイッチ、ボタンまたは他の如何なるタイプの手入力エレメントとしてもよい。代替の実施形態では、モバイル・コンピューティング・デバイス８００は、多少の入力エレメントを組み込むことができる。例えば、ディスプレイ８０５は、幾らかの実施形態ではタッチ・スクリーンではなくてもよい。更に他の代替の実施形態では、モバイル・コンピューティング・デバイス８００は、セルラー・フォンのようなポータブル電話システムである。モバイル・コンピューティング・デバイス８００はまた、任意のキーパッド８３５も含んでもよい。任意のキーパッド８３５は、物理的なキーパッドでも、またはタッチ・スクリーン・ディスプレイ上に生成される「ソフト」キーボードとしてもよい。各種実施形態では、出力エレメントは、グラフィカル・ユーザー・インターフェース（ＧＵＩ）を示すディスプレイ８０５、可視インジケーター８２０（例えば、発光ダイオード）、および／またはオーディオ変換器８２５（例えば、スピーカ）を含む。幾らかの実施形態では、モバイル・コンピューティング・デバイス８００は、ユーザーに触覚上のフィードバックを供給する振動変換器を組み込む。更なる別の実施形態では、モバイル・コンピューティング・デバイス８００は、信号を外部デバイスに送信し、または外部デバイスから信号を受信するために、オーディオ入力（例えば、マイクロホン・ジャッキ）、オーディオ出力（例えば、ヘッドフォン・ジャッキ）、およびビデオ出力（例えば、ＨＤＭＩ（登録商標）ポート）のような入力ポートおよび／または出力ポートを組み込む。
【００３７】
図８Ｂは、モバイル・コンピューティング・デバイスの一実施形態のアーキテクチャーを示すブロック図である。すなわち、モバイル・コンピューティング・デバイス８００は、幾らかの実施形態を実施するシステム（すなわち、アーキテクチャー）８０２を組み込むことができる。一実施形態では、システム８０２は、１つ以上のアプリケーション（例えば、ブラウザー、電子メール、カレンダー、コンタクト・マネージャー、メッセージング・クライアント、ゲーム、および媒体クライアント／プレーヤー）を起動することができる「スマートフォン」として実装できる。幾らかの実施形態では、システム８０２は、統合パーソナル・デジタル・アシスタント（ＰＤＡ）および無線電話のようなコンピューティング・デバイスとして集積化される。
【００３８】
１つ以上のアプリケーション・プログラム８６６は、メモリ８６２にロードすることができ、オペレーティング・システム８６４上で、またはそれに付随してランすることができる。アプリケーション・プログラムの例には、電話ダイアラー・プログラム、電子メール・プログラム、個人情報管理（ＰＩＭ）プログラム、文書処理プログラム、表計算プログラム、インターネット・ブラウザー・プログラム、メッセージング・プログラム等が含まれる。システム８０２はまた、メモリ８６２内に不揮発性ストレージ領域８６８も含む。不揮発性ストレージ領域８６８は、システム８０２が電源ダウンされる場合に損失してはならない永続的な情報を格納するのに用いることができる。アプリケーション・プログラム８６６は、電子メールまたは電子メール・アプリケーションにより用いられる他のメッセージ等のような情報を不揮発性ストレージ領域８６８内で使用し格納することができる。同期アプリケーション（図示せず）がまたシステム８０２上に常駐し、ホスト・コンピューターに常駐する対応する同期アプリケーションと相互作用して、不揮発ストレージ領域８６８に格納された情報がホスト・コンピューターに格納された対応する情報と同期されるのを維持することができる。本願明細書に説明する電子メール・クライアント・アプリケーション７２２を含む他のアプリケーションをメモリ８６２にロードして、モバイル・コンピューティング・デバイス８００上でランできることが認められて然るべきである。
【００３９】
システム８０２は、電源８７０を有し、１つ以上のバッテリーとして実施することができる。電源８７０は更に、ＡＣアダプタまたはバッテリーを補充または再充電するまたは電力ドッキング・クレイドルのような外部電力ソースを含んでもよい。システム８０２はまた、無線周波数通信を送信および受信する機能を実行する無線通信(radio)８７２を含むこともできる。無線通信８７２は、通信キャリアまたはサービス・プロバイダーを通じて、システム８０２および「外界(outside world)」の間に無線接続性を容易にする。無線通信８７２との間の伝送は、オペレーティング・システム８６４の制御下で遂行される。換言すれば、無線通信８７２によって受信される通信は、オペレーティング・システム８６４を介してアプリケーション・プログラム８６６に伝播することができる。逆もまた同様である。
【００４０】
無線通信８７２は、システム８０２が、ネットワークを介するように他のコンピューティング・デバイスと通信するのを可能にする。無線通信８７２は、通信媒体の１つの例示である。通信媒体は、通例、コンピューター可読命令、データ構造、プログラム・モジュール、または搬送波または他の移送機構のような変調データ信号内の他のデータによって実現でき、如何なる情報配信媒体をも含むことができる。「変調データ信号」という用語は、その特性の１つ以上を有し、信号内の情報をコード化する手法で変更された信号を意味する。一例によれば、これに限定されないが、通信媒体は、有線ネットワークまたは直接有線接続のような有線媒体、並びに、音響、ＲＦ、赤外線および他の無線媒体のような無線媒体を含む。本明細書で用いるコンピューター可読媒体なる用語は、ストレージ媒体および通信媒体の両方を含む。
【００４１】
システム８０２のこの実施形態は、可視の通知を供給することができる可視インジケーター８２０、および／またはオーディオ変換器８２５を介して聞き取り可能な通知を供給することができるオーディオ・インターフェースを用いて通知を供給する。図示した実施形態では、可視インジケーター８２０は、発光ダイオード（ＬＥＤ）であり、また、オーディオ変換器８２５はスピーカーである。これらのデバイスは、電源８７０に直接結合することができ、その結果、活性化されると、プロセッサー８６０および他のコンポーネントがバッテリー電力を節約するためにシャットダウンする場合であっても、通知メカニズムによって指図された期間にわたりオン状態を維持することができる。ＬＥＤは、ユーザーがデバイスの電源オン状態を示す処置をとるまで、無期限にオン状態を維持するようにプログラムすることができる。オーディオ・インターフェース８７４は、聞き取り可能な信号をユーザーに供給し、聞き取り可能な信号をユーザーから受信するように用いることができる。例えば、オーディオ変換器８２５に結合することに加えて、オーディオ・インターフェース８７４はまた、マイクロフォンに結合し、電話での会話を促進するように、聞き取り可能な入力を受け取ることができる。本発明の実施形態によれば、マイクロフォンは、後述するように、オーディオ・センサーとしてセンサとして仕え、通知の制御を容易にすることができる。システム８０２は更に、オンボード・カメラ８３０の動作がイメージ、ビデオ・ストリーム等を尚も記録するのを可能にするビデオ・インターフェース８７６を含むことができる。
【００４２】
システム８０２を実施するモバイル・コンピューティング・デバイス８００は、付加的な特徴または機能を有することができる。例えば、モバイル・コンピューティング・デバイス８００はまた、磁気ディスク、光ディスクまたはテープのような追加の（取り外し可能および／または取り外し不能な）データ・ストレージ・デバイスを含むこともできる。このような追加のストレージを不揮発性ストレージ領域８６８として図８Ｂに図示する。コンピューター・ストレージ媒体は、コンピューター可読命令、データ構造、プログラム・モジュールまたは他のデータのような情報をストレージするための如何なる方法または技術で実装される揮発性および不揮発性、取り外し可能なおよび取り外し不能な媒体を含むことができる。
【００４３】
モバイル・コンピューティング・デバイス８００によって生成若しくはキャプチャーされ、システム８０２を通じて格納されるデータ／情報は、先に説明したようにモバイル・コンピューティング・デバイス８００上にローカルに格納することができる。または、当該データは如何なる数のストレージ媒体上に格納することができ、当該ストレージ媒体は無線通信８７２を介して、若しくはモバイル・コンピューティング・デバイス８００と、該モバイル・コンピューティング・デバイス８００に付随する別個のコンピューティング・デバイス、例えば、インターネットのような分散コンピューティング・ネットワークのサーバー・コンピューターとの間の無線接続を介して、アクセスすることができる。このようなデータ／情報には、無線通信８７２を介して、または分散コンピューティング・ネットワークを介して、アクセスできることが認められて然るべきである。同様に、このようなデータ／情報は、電子メールおよび協働のデータ／情報共有システムを含む、公知のデータ／情報転送およびストレージの手段に従って、ストレージおよび使用のために、コンピューティング・デバイス間で容易に転送できる。
【００４４】
図９に、先に説明した、電子メール・クライアント・アプリケーション７２２を１つ以上のクライアント・デバイスに設けるシステムのアーキテクチャーについての一実施形態を例示する。電子メール・クライアント・アプリケーション７２２と連携して発生され、相互作用され、または編集されるコンテンツは、異なる通信チャネルまたは他のストレージ種別で格納することができる。例えば、各種文書は、ディレクトリ・サービス９２２、ウェブ・ポータル９２４、メールボックス・サービス９２６、インスタント・メッセージング・ストア９２８、またはソーシャル・ネットワーキング・サイト９３０を使用して格納することができる。電子メール・クライアント・アプリケーション７２２は、本明細書に説明したように、電子メール・クライアント・アプリケーションのメールボックス・フォルダーにおいて新規の電子通信メッセージのドラフト管理を可能にするこれらの如何なるシステム等をも使用することができる。サーバー９２０は、電子メール・クライアント・アプリケーション７２２をクライアントに提供することができる。１つの例として、サーバー９２０は、ウェブにわたる電子メール・クライアント・アプリケーション７２２を提供するウェブ・サーバーとしてもよい。サーバー９２０は、ウェブにわたる電子メール・クライアント・アプリケーション７２２を、ネットワーク９１５を通じてクライアントに提供することができる。例えば、クライアント・コンピューティング・デバイス９１８は、コンピューティング・デバイス９００として実装することができ、パーソナル・コンピュータ９１８ａ、タブレット・コンピューティング・デバイス９１８ｂ、および／またはモバイル・コンピューティング・デバイス９１８ｃ（例えば、スマートフォン）で実現することができる。これら如何なるクライアント・コンピューティング・デバイス９１８もが、ストア９１６からコンテンツを取得することができる。各種実施形態では、本発明を形成する複数のコンピューティング・デバイスの間の通信に使用される種別のネットワークは、これに限定されないが、インターネット、イントラネット、ワイド・エリア・ネットワーク（ＷＡＮ）、ローカル・エリア・ネットワーク（ＬＡＮ）およびバーチャル・プライベート・ネットワーク（ＶＰＮ）を含む。本出願において、ネットワークは。エンタープライズ・ネットワーク、およびクライアント・コンピューティング・デバイスがエンタープライズ・ネットワーク（すなわち、クライアント・ネットワーク）にアクセスするネットワークを含む。一実施形態では、クライアント・ネットワークは、エンタープライズ・ネットワークの一部である。他の実施形態では、ゲートウェイ、リモート・アクセス・プロトコル、またはパブリック若しくはプライベトのインターネット・アドレスのようなクライアント・ネットワークは、外部で利用可能なエントリ・ポイントを通じてエンタープライズ・ネットワークにアクセスする別個のネットワークである。
【００４５】
本願で提供した１つ以上の実施形態の説明および図示は、如何なる方法でも特許請求する発明の範囲を制限または限定することを意図しない。本願で提供した実施形態、例示および詳細は、占有を知らせるのに十分と考えられ、他の者が特許請求した発明のベストモードを製造および使用することが可能である。特許請求した発明は、本願で提供した如何なる実施形態、例示、または詳細に限定されるものと解釈してはならない。組み合わせてまたは別個に示し説明したか否かに拘わらず、各種特徴（構造的および方法論的の両方）は、選択的に含まれ、または特定の特徴のセットを有する実施形態を生じさせるのを省略するのを意図するものである。本出願の説明および図示を提供してきた。当業者は、特許請求された発明についてより広い態様の趣旨、およびより広い範囲から逸脱することのない本出願で実現される包括的な発明概念におさまる変形態様、修正態様、および代替実施形態を想起することができる。
【図６】
2015518985.tif 000003
【図７】
2015518985.tif 000004
【図８Ａ】
2015518985.tif 000005
【図８Ｂ】
2015518985.tif 000006
【図９】
2015518985.tif 000007
【図１】
2015518985.tif 000008
【図２】
2015518985.tif 000009
【図３】
2015518985.tif 000010
【図４】
2015518985.tif 000011
【図５】
2015518985.tif 000012
【国際調査報告】
2015518985.tif 000013
2015518985.tif 000014